(57)【要約】【課題】フォトモスリレーを使用したスイッチング回路において、オフ容量の変化を無くするようにする。【解決手段】第１のフォトモスリレーのオン／オフする端子の１端が信号伝送ラインに接続され、該第１のフォトモスリレーのオン／オフする端子の他端が終端抵抗を介してグランド接続するスイッチング回路において、該第１のフォトモスリレーの信号ラインに接続された１端側の電圧を受けて出力するボルテージフォロワと、該ボルテージフォロワの出力を受け、前記第１のフォトモスリレーの他端側との接続をオン／オフする第２のフォトモスリレーとを具備して、前記第１のフォトモスリレーをオフしたとき第２のフォトモスリレーをオンして、前記第１のフォトモスリレーのオフ端子間の信号波形が同じとなるようにした。【選択図】図１
2007235807.tif 000002
【特許請求の範囲】
【請求項１】
第１のフォトモスリレーのオン／オフする端子の１端が信号伝送ラインに接続され、該第１のフォトモスリレーのオン／オフする端子の他端が終端抵抗を介してグランド接続するスイッチング回路において、
該第１のフォトモスリレーの信号ラインに接続された１端側の電圧を受けて出力するボルテージフォロワと、
該ボルテージフォロワの出力を受け、前記第１のフォトモスリレーの他端側との接続をオン／オフする第２のフォトモスリレーとを具備して、
前記第１のフォトモスリレーをオフしたとき第２のフォトモスリレーをオンして、前記第１のフォトモスリレーのオフ端子間の信号波形が同じとなるようにしたことを特徴としたスイッチング回路。
【請求項２】
入力信号を第１の抵抗で受けて信号出力し、
第１のフォトモスリレーのオン／オフする１端が第１の抵抗の出力側に接続され、他端が第２の抵抗を介してグランド接続するスイッチング回路において、
前記第１のフォトモスリレーの１端側の電圧を受けて出力するボルテージフォロワと、
該ボルテージフォロワの出力を受け、前記第１のフォトモスリレーの他端との接続をオン／オフする第２のフォトモスリレーとを具備して、
前記第１のフォトモスリレーをオフしたとき前記第２のフォトモスリレーをオンして、前記第１のフォトモスリレーのオフ端子間の信号波形が同じとなるようにしたことを特徴としたスイッチング回路。
【請求項３】
第１の抵抗と第２の抵抗との抵抗比により入力信号をオペアンプにより増幅出力し、
前記第１の抵抗との並列接続となる第３の抵抗を第１のフォトモスリレーＫ１を介してオン／オフ接続して増幅率を可変するスイッチング回路において、
前記第１のフォトモスリレーの１端側の電圧を受けて出力するボルテージフォロワと、
該ボルテージフォロワの出力を受け、前記第１のフォトモスリレーの他端との接続をオン／オフする第２のフォトモスリレーとを具備して、
前記第１のフォトモスリレーをオフしたとき前記第２のフォトモスリレーをオンして、前記第１のフォトモスリレーのオフ端子間の信号波形が同じとなるようにしたことを特徴としたスイッチング回路。
【請求項４】
信号伝送ラインとグランド間を第１の抵抗で終端接続し、
第１のフォトモスリレーのオン／オフする端子の１端を前記信号伝送ラインに接続し、他端が第２の抵抗を介してグランド接続するスイッチング回路において、
前記第１のフォトモスリレーの信号ラインに接続された１端側の電圧を受けて出力するボルテージフォロワと、
該ボルテージフォロワの出力を受け、前記第１のフォトモスリレーの他端側にオン／オフ接続する第２のフォトモスリレーとを具備して、
前記第１のフォトモスリレーをオフしたとき第２のフォトモスリレーをオンして、前記第１のフォトモスリレーのオフ端子間の信号波形が同じとなるようにしたことを特徴としたスイッチング回路。
【請求項５】
第１のＤ／Ａコンバータのアナログ変換出力を受けて第１のフォトモスリレーと第２のフォトモスリレーとのオン／オフ端子を直列接続して信号出力し、
第２のＤ／Ａコンバータのアナログ変換出力を受けて第３のフォトモスリレーを介して前記信号出力にオン／オフ接続するスイッチング回路において、
前記第２のＤ／Ａコンバータのアナログ変換出力を受けて出力するボルテージフォロワと、
該ボルテージフォロワの出力を受け、前記第１のフォトモスリレーと第２のフォトモスリレーとの接続点にオン／オフ接続する第４のフォトモスリレーとを具備して、
前記第１のフォトモスリレーと第２のフォトモスリレーとをオフしたとき、第３のフォトモスリレーと第４のフォトモスリレーとをオンして、前記第２のフォトモスリレーのオフ端子間の信号波形が同じとなるようにしたことを特徴としたスイッチング回路。
【請求項６】
デジタル信号をアナログ変換出力するＤ／Ａコンバータと、
該Ｄ／Ａコンバータの出力を受けて、ろ波出力するフィルタと、
該フィルタの、ろ波出力を受けてオン／オフ出力する第１のフォトモスリレーと、
該第１のフォトモスリレー出力を受けてオン／オフ出力する第２のフォトモスリレーと、、
前記Ｄ／Ａコンバータのアナログ変換出力を受けてオン／オフ出力する第３のフォトモスリレーと、
該第３のフォトモスリレーの出力を受けて前記第２のフォトモスリレーの出力端子にオン／オフ接続する第４のフォトモスリレーと、
前記第２のフォトモスリレーの出力を受けて出力するボルテージフォロワと、
該ボルテージフォロワの出力を受け、前記第１のフォトモスリレーと第２のフォトモスリレーとの接続点にオン／オフ接続する第５のフォトモスリレーとを具備して、
前記第１のフォトモスリレーと第２のフォトモスリレーとをオフしたとき第３のフォトモスリレーと第４のフォトモスリレーと第５のフォトモスリレーとをオンして、前記第２のフォトモスリレーのオフ端子間の信号波形が同じとなるようにしたことを特徴としたスイッチング回路。
【請求項７】
任意波形の信号を発生して信号伝送ライン出力する第１の任意信号発生器と、
第１のフォトモスリレーのオン／オフする端子の１端が前記信号伝送ラインに接続され、他端が終端抵抗を介してグランド接続されるスイッチング回路において、
前記第１の任意信号発生器に同期して同一の任意波形の信号を発生する第２の任意信号発生器と、
該第２の任意信号発生器の出力を受けて前記第１のフォトモスリレーの他端側とオン／オフ接続する第２のフォトモスリレーとを具備して、
前記第１のフォトモスリレーをオフしたとき第２のフォトモスリレーをオンして、前記第１のフォトモスリレーのオフ端子間の信号波形が同じとなるようにしたことを特徴としたスイッチング回路。
【発明の詳細な説明】
【技術分野】
【０００１】
本発明は、フォトモスリレーを使用したスイッチング回路に関するものである。
【背景技術】
【０００２】
従来、アナログ信号のスイッチング回路の切換部品としてメカニカルなリレーが使用されている。
また、メカニカルなリレーは寿命が限られており、半導体リレーと比較して寿命が短いことがわかっている。
そのため、リレーの長寿命化をはかるため、半導体リレーとしてフォトモスリレーが使用される。
しかし、図２に示すように、フォトモスリレーはオン／オフ端子間にオフ容量Ｃoffが存在し、図３に示すように、そのオフ容量Ｃoffは端子間電圧Ｖによって変化する。
従って、フォトモスリレーをアナログ信号の通る経路に接続して任意のアナログ信号を入力した場合、図１２から図１７に示すように、フォトモスリレーの端子間に電位差Vが発生する。
また、入力するアナログ信号は時間に従って連続的に電圧が変化するので、端子間電圧Vが絶え間なく変動（ΔV）する。
その結果、図４に示すように、アナログ波形を入力した場合、フォトモスリレーのオフ容量Coffも変化する。
一般にアナログ信号の伝送波形品質はひずみとして表現され、従来このオフ容量Coffの変化（ΔCoff）が伝送波形品質を悪化させるという問題があった。
【０００３】
フォトモスリレーのオフ容量Coffの変化が問題となる具体的回路例について、図１２から図１７を参照して以下説明する。
図１２は、フォトモスリレーＫ１により信号伝送ラインと終端抵抗Ｒ１との接続をオン／オフするスイッチング回路である。
そして、図１２のスイッチング回路において、任意の波形の信号を入力して、抵抗Ｒ１で終端または開放として信号出力する。
図１３は、信号伝送ラインの信号を抵抗Ｒ１で受けて出力し、フォトモスリレーＫ１を介してグランド接続された抵抗Ｒ２への接続をオン／オフして信号出力するスイッチング回路である。
そして、図１３のスイッチング回路において、任意の波形の信号を入力して、減衰量を可変して出力する。
図１４は、オペアンプＡＭＰを介して抵抗Ｒ１と抵抗Ｒ２との抵抗比により入力信号を増幅出力し、さらにフォトモスリレーＫ１を介して抵抗Ｒ３を前記抵抗Ｒ１との並列接続をオン／オフして増幅度を可変するスイッチング回路である。
そして、図1４のスイッチング回路において、任意の波形の信号を入力して、信号を可変増幅出力する。
図１５は、信号伝送ラインに抵抗Ｒ１で終端された回路において、抵抗Ｒ１と並列接続する抵抗Ｒ２をフォトモスリレーＫ１によりオン／オフ接続する回路である。
そして、図1５のスイッチング回路において、任意の波形の信号を入力して、信号ラインの終端抵抗値を可変して信号出力する。
図１６は、Ｄ／ＡコンバータＤ／Ａ１のアナログ変換出力をフォトモスリレーＫ１を介して出力し、Ｄ／ＡコンバータＤ／Ａ２のアナログ出力をフォトモスリレーＫ２を介して割り込み出力するスイッチング回路である。
そして、図1６のスイッチング回路において、例えば一方を信号として他方をオフセットとして割り込み出力する。
図１７は、Ｄ／ＡコンバータＤ／Ａのアナログ変換出力をフィルタＦで受け、そのフィルタＦ出力をフォトモスリレーＫ１を介して出力し、またはＤ／ＡコンバータＤ／Ａのアナログ変換出力を２つの直列接続されたフォトモスリレーＫ２とフォトモスリレーＫ３を介して出力するスイッチング回路である。
そして、図1７のスイッチング回路において、アナログ変換信号のスルー出力と、フィルタＦでろ波した出力とを切換えて出力する。
【特許文献１】特許公開２００４−２８９４１０
【発明の開示】
【発明が解決しようとする課題】
【０００４】
解決しようとする問題点は、スイッチング回路の切換部品としてフォトモスリレーを使用した場合に、端子間容量の変化の影響を受けないようにして出力信号の波形品質を劣化させないようにすることである。
【課題を解決するための手段】
【０００５】
本発明の第１は、
第１のフォトモスリレーのオン／オフする端子の１端が信号伝送ラインに接続され、該第１のフォトモスリレーのオン／オフする端子の他端が終端抵抗を介してグランド接続するスイッチング回路において、
該第１のフォトモスリレーの信号ラインに接続された１端側の電圧を受けて出力するボルテージフォロワと、
該ボルテージフォロワの出力を受け、前記第１のフォトモスリレーの他端側との接続をオン／オフする第２のフォトモスリレーとを具備して、
前記第１のフォトモスリレーをオフしたとき第２のフォトモスリレーをオンして、前記第１のフォトモスリレーのオフ端子間の信号波形が同じとなるようにしたことを特徴としたスイッチング回路。
【０００６】
本発明の第２は、
入力信号を第１の抵抗で受けて信号出力し、
第１のフォトモスリレーのオン／オフする１端が第１の抵抗の出力側に接続され、他端が第２の抵抗を介してグランド接続するスイッチング回路において、
前記第１のフォトモスリレーの１端側の電圧を受けて出力するボルテージフォロワと、
該ボルテージフォロワの出力を受け、前記第１のフォトモスリレーの他端との接続をオン／オフする第２のフォトモスリレーとを具備して、
前記第１のフォトモスリレーをオフしたとき前記第２のフォトモスリレーをオンして、前記第１のフォトモスリレーのオフ端子間の信号波形が同じとなるようにしたことを特徴としたスイッチング回路。
【０００７】
本発明の第３は、
第１の抵抗と第２の抵抗との抵抗比により入力信号をオペアンプにより増幅出力し、
前記第１の抵抗との並列接続となる第３の抵抗を第１のフォトモスリレーＫ１を介してオン／オフ接続して増幅率を可変するスイッチング回路において、
前記第１のフォトモスリレーの１端側の電圧を受けて出力するボルテージフォロワと、
該ボルテージフォロワの出力を受け、前記第１のフォトモスリレーの他端との接続をオン／オフする第２のフォトモスリレーとを具備して、
前記第１のフォトモスリレーをオフしたとき前記第２のフォトモスリレーをオンして、前記第１のフォトモスリレーのオフ端子間の信号波形が同じとなるようにしたことを特徴としたスイッチング回路。
【０００８】
本発明の第４は、
信号伝送ラインとグランド間を第１の抵抗で終端接続し、
第１のフォトモスリレーのオン／オフする端子の１端を前記信号伝送ラインに接続し、他端が第２の抵抗を介してグランド接続するスイッチング回路において、
前記第１のフォトモスリレーの信号ラインに接続された１端側の電圧を受けて出力するボルテージフォロワと、
該ボルテージフォロワの出力を受け、前記第１のフォトモスリレーの他端側にオン／オフ接続する第２のフォトモスリレーとを具備して、
前記第１のフォトモスリレーをオフしたとき第２のフォトモスリレーをオンして、前記第１のフォトモスリレーのオフ端子間の信号波形が同じとなるようにしたことを特徴としたスイッチング回路。
【０００９】
本発明の第５は、
第１のＤ／Ａコンバータのアナログ変換出力を受けて第１のフォトモスリレーと第２のフォトモスリレーとのオン／オフ端子を直列接続して信号出力し、
第２のＤ／Ａコンバータのアナログ変換出力を受けて第３のフォトモスリレーを介して前記信号出力にオン／オフ接続するスイッチング回路において、
前記第２のＤ／Ａコンバータのアナログ変換出力を受けて出力するボルテージフォロワと、
該ボルテージフォロワの出力を受け、前記第１のフォトモスリレーと第２のフォトモスリレーとの接続点にオン／オフ接続する第４のフォトモスリレーとを具備して、
前記第１のフォトモスリレーと第２のフォトモスリレーとをオフしたとき、第３のフォトモスリレーと第４のフォトモスリレーとをオンして、前記第２のフォトモスリレーのオフ端子間の信号波形が同じとなるようにしたことを特徴としたスイッチング回路。
【００１０】
本発明の第6は、
デジタル信号をアナログ変換出力するＤ／Ａコンバータと、
該Ｄ／Ａコンバータの出力を受けて、ろ波出力するフィルタと、
該フィルタの、ろ波出力を受けてオン／オフ出力する第１のフォトモスリレーと、
該第１のフォトモスリレー出力を受けてオン／オフ出力する第２のフォトモスリレーと、、
前記Ｄ／Ａコンバータのアナログ変換出力を受けてオン／オフ出力する第３のフォトモスリレーと、
該第３のフォトモスリレーの出力を受けて前記第２のフォトモスリレーの出力端子にオン／オフ接続する第４のフォトモスリレーと、
前記第２のフォトモスリレーの出力を受けて出力するボルテージフォロワと、
該ボルテージフォロワの出力を受け、前記第１のフォトモスリレーと第２のフォトモスリレーとの接続点にオン／オフ接続する第５のフォトモスリレーとを具備して、
前記第１のフォトモスリレーと第２のフォトモスリレーとをオフしたとき第３のフォトモスリレーと第４のフォトモスリレーと第５のフォトモスリレーとをオンして、前記第２のフォトモスリレーのオフ端子間の信号波形が同じとなるようにしたことを特徴としたスイッチング回路。
【００１１】
本発明の第７は、
任意波形の信号を発生して信号伝送ライン出力する第１の任意信号発生器と、
第１のフォトモスリレーのオン／オフする端子の１端が前記信号伝送ラインに接続され、他端が終端抵抗を介してグランド接続されるスイッチング回路において、
前記第１の任意信号発生器に同期して同一の任意波形の信号を発生する第２の任意信号発生器と、
該第２の任意信号発生器の出力を受けて前記第１のフォトモスリレーの他端側とオン／オフ接続する第２のフォトモスリレーとを具備して、
前記第１のフォトモスリレーをオフしたとき第２のフォトモスリレーをオンして、前記第１のフォトモスリレーのオフ端子間の信号波形が同じとなるようにしたことを特徴としたスイッチング回路。
【発明の効果】
【００１２】
本発明のスイッチング回路は、オフ時の端子間電位差を０Ｖとなるようにしたのでフォトモスリレーのオフ容量の変動が０Ｖとなり、伝送波形品質を劣化させないという利点がある。
【発明を実施するための最良の形態】
【００１３】
本発明のスイッチング回路は、ハイインピーダンス入力のボルテージフォロワによりフォトモスリレーのオフとしたときの一方の端子電位と他方の端子電位とが同じとなるようにして端子間電位差を０Ｖとして実現した。
【実施例１】
【００１４】
図１２のスイッチング回路に本発明を適用した実施例を図１に示す。
図１において、オペアンプによりボルテージフォロワＢＦを構成し、Ａ点の電位をフォトモスリレーＫ２を介してＢ点へ印加する。
この場合、フォトモスリレーK1オフのときフォトモスリレーK2はオンとし、フォトモスリレーK1オンのときフォトモスリレーK2はオフとなるように制御する。
従って、フォトモスリレーK1オフのときフォトモスリレーK2はオンとなり、A点とB点の観測点で入力波形と同じ波形が観測される。
A点とB点は同一波形のため、フォトモスリレーＫ１の端子間電圧の変動ΔV＝0Vである。
また、フォトモスリレーＫ１の端子間電圧の変動ΔV＝0Vのため、フォトモスリレーＫ１のオフ容量Ｃoffの変化ΔCoffは一定となる。
同様に、フォトモスリレーK1がオン、フォトモスリレーK2がオフのときは、ボルテージフォロワＢＦの出力点とB点とが同一波形のため、フォトモスリレーＫ２の端子間電圧の変動ΔV＝0Vになり、フォトモスリレーK2のオフ容量Ｃoffの変化ΔCoffは０になる。
以上により、図１のスイッチング回路おいて、任意の波形の信号を入力して、ひずみの少ない信号波形を伝送出力することができる。
【実施例２】
【００１５】
図１３のスイッチング回路に本発明を適用した実施例を図５に示す。
図５において、ボルテージフォロワＢＦにより、抵抗Ｒ１の出力側の電位をフォトモスリレーＫ２を介してＢ点へ印加する回路である。
この場合、フォトモスリレーK1オフのときフォトモスリレーK2はオンとなり、フォトモスリレーK1オンのときフォトモスリレーK2はオフとなるように制御する。
従って、フォトモスリレーK1オフのときフォトモスリレーK2はオンとなり、Ａ点とＢ点とで同じ波形が観測される。
フォトモスリレーＫ１の端子間は同一波形のため、フォトモスリレーＫ１の端子間電圧の変動ΔV＝0Vである。
また、フォトモスリレーＫ１の端子間電圧の変動ΔV＝0Vのため、フォトモスリレーＫ１のオフ容量Ｃoffの変化ΔCoffは一定となる。
同様に、フォトモスリレーK1がオン、フォトモスリレーK2がオフのときは、Ａ点とB点とが同一波形のため、フォトモスリレーＫ２の端子間電圧の変動ΔV＝0Vになり、フォトモスリレーK2のオフ容量Ｃoffの変化ΔCoffは０になる。
以上により、図５のスイッチング回路おいて、任意の波形の信号を入力して、ひずみの少ない減衰信号を出力することができる。
【実施例３】
【００１６】
図１４のスイッチング回路に本発明を適用した実施例を図６に示す。
図６において、ボルテージフォロワＢＦにより、Ａ点の電位をフォトモスリレーＫ２を介してＢ点へ印加する回路である。
この場合、フォトモスリレーK1オフのときフォトモスリレーK2はオンとし、フォトモスリレーK1オンのときフォトモスリレーK2はオフとなるように制御する。
従って、フォトモスリレーK1オフのときフォトモスリレーK2はオンとなり、Ａ点とＢ点とで同じ波形が観測される。
フォトモスリレーＫ１の端子間は同一波形のため、フォトモスリレーＫ１の端子間電圧の変動ΔV＝0Vである。
また、フォトモスリレーＫ１の端子間電圧の変動ΔV＝0Vのため、フォトモスリレーＫ１のオフ容量Ｃoffの変化ΔCoffは一定となる。
同様に、フォトモスリレーK1がオン、フォトモスリレーK2がオフのときは、Ａ点とB点とが同一波形のため、フォトモスリレーＫ２の端子間電圧の変動ΔV＝0Vになり、フォトモスリレーK2のオフ容量Ｃoffの変化ΔCoffは０になる。
以上により、図６のスイッチング回路おいて、任意の波形の信号を入力して、ひずみの少ない増幅信号を可変出力することができる。
また、オペアンプＡＭＰの入力は、プラス側とマイナス側とが同電位となるので、図７に示すようにマイナス側の電位をボルテージフォロワＢＦの入力信号としてもよい。
【実施例４】
【００１７】
図１５のスイッチング回路に本発明を適用した実施例を図８に示す。
図８において、ボルテージフォロワＢＦにより、Ａ点の電位をフォトモスリレーＫ２を介してＢ点へ印加する回路である。
この場合、フォトモスリレーK1オフのときフォトモスリレーK2はオンとし、フォトモスリレーK1オンのときフォトモスリレーK2はオフとなるように制御する。
従って、フォトモスリレーK1オフのときフォトモスリレーK2はオンとなり、A点とB点の観測点で入力波形と同じ波形が観測される。
A点とB点は同一波形のため、フォトモスリレーＫ１の端子間電圧の変動ΔV＝0Vである。
また、フォトモスリレーＫ１の端子間電圧の変動ΔV＝0Vのため、フォトモスリレーＫ１のオフ容量Ｃoffの変化ΔCoffは一定となる。
同様に、フォトモスリレーK1がオン、フォトモスリレーK2がオフのときは、ボルテージフォロワＢＦの出力点とB点とが同一波形のため、フォトモスリレーＫ２の端子間電圧の変動ΔV＝0Vになり、フォトモスリレーK2のオフ容量Ｃoffの変化ΔCoffは０になる。
以上により、図８のスイッチング回路おいて、任意の波形の信号を入力して、信号ラインの終端抵抗値を可変してひずみの少ない信号出力できる。
【実施例５】
【００１８】
図１６のスイッチング回路に本発明を適用した実施例を図９に示す。
図９において、ボルテージフォロワＢＦにより、Ａ点の電位をフォトモスリレーＫ２を介してＢ点へ印加する回路である。
この場合、フォトモスリレーK1、フォトモスリレーＫ２オフのときフォトモスリレーK３、フォトモスリレーＫ４はオンとし、フォトモスリレーK1、フォトモスリレーＫ２がオンのときフォトモスリレーK３、フォトモスリレーＫ４はオフとなるように制御する。
従って、フォトモスリレーK１、フォトモスリレーＫ２がオフのときフォトモスリレーK３、フォトモスリレーＫ４はオンとなり、Ａ点とＢ点とで同じ波形が観測される。
フォトモスリレーＫ２の端子間は同一波形のため、フォトモスリレーＫ２の端子間電圧の変動ΔV＝0Vである。
また、フォトモスリレーＫ２の端子間電圧の変動ΔV＝0Vのため、フォトモスリレーＫ２のオフ容量Ｃoffの変化ΔCoffは一定となる。
同様に、フォトモスリレーK1、フォトモスリレーＫ２がオン、フォトモスリレーK３、フォトモスリレーＫ４がオフのときは、Ａ点とB点とが同一波形のため、フォトモスリレーＫ４の端子間電圧の変動ΔV＝0Vになり、フォトモスリレーK４のオフ容量Ｃoffの変化ΔCoffは０になる。
以上により、図６のスイッチング回路おいて、デジタル信号の信号を入力して、デジタル信号のオフセット信号を割り込みひずみの少ないアナログ信号を出力することができる。
【実施例６】
【００１９】
図１７のスイッチング回路に本発明を適用した実施例を図１０に示す。
図１０において、ボルテージフォロワＢＦにより、Ａ点の電位をフォトモスリレーＫ５を介してＢ点へ印加する回路である。
この場合、フォトモスリレーK1、フォトモスリレーＫ２オフのときフォトモスリレーK３、フォトモスリレーＫ４、フォトモスリレーＫ５はオンとし、フォトモスリレーK1、フォトモスリレーＫ２オンのときフォトモスリレーK３、フォトモスリレーＫ４、フォトモスリレーＫ５はオフとなるように制御する。
従って、フォトモスリレーK1、フォトモスリレーＫ２がオフ、フォトモスリレーK３、フォトモスリレーＫ４、フォトモスリレーＫ５がオンのとき、Ａ点とＢ点とで同じ波形が観測される。
フォトモスリレーＫ２の端子間は同一波形のため、フォトモスリレーＫ２の端子間電圧の変動ΔV＝0Vである。
また、フォトモスリレーＫ２の端子間電圧の変動ΔV＝0Vのため、フォトモスリレーＫ２のオフ容量Ｃoffの変化ΔCoffは一定となる。
同様に、フォトモスリレーK1、フォトモスリレーＫ２がオン、フォトモスリレーK３、フォトモスリレーＫ４、フォトモスリレーＫ５がオフのときは、Ａ点とB点とが同一波形のため、フォトモスリレーＫ５の端子間電圧の変動ΔV＝0Vになり、フォトモスリレーK５のオフ容量Ｃoffの変化ΔCoffは０になる。
以上により、図１０のスイッチング回路おいて、ひずみの少ない信号波形を出力することができる。
【実施例７】
【００２０】
図１１は、信号伝送ラインのＡ点にフォトモスリレーＫ１により終端抵抗Ｒへの接続をオン／オフするスイッチング回路である。
図1１の回路において、任意信号発生器ＡＷＧ１から任意の波形の信号を入力して、信号波形を伝送出力する本発明の応用例である。
図１１において、任意信号発生器ＡＷＧ１に同期して、任意信号発生器ＡＷＧ２からＡ点の入力信号と同一の信号をフォトモスリレーＫ２を介してＢ点へ印加する回路である。
この場合、フォトモスリレーK1オフのときフォトモスリレーK2はオンとし、フォトモスリレーK1オンのときフォトモスリレーK2はオフとなるように制御する。
従って、フォトモスリレーK1オフのときフォトモスリレーK2はオンとなり、A点とB点の観測点で入力波形と同じ波形が観測される。
A点とB点は同一波形のため、フォトモスリレーＫ１の端子間電圧の変動ΔV＝0Vである。
また、フォトモスリレーＫ１の端子間電圧の変動ΔV＝0Vのため、フォトモスリレーＫ１のオフ容量Ｃoffの変化ΔCoffは一定となる。
同様に、フォトモスリレーK1がオン、フォトモスリレーK2がオフのときは、任意信号発生器ＡＷＧ２の出力点とB点とが同一波形のため、フォトモスリレーＫ２の端子間電圧の変動ΔV＝0Vになり、フォトモスリレーK2のオフ容量Ｃoffの変化ΔCoffは０になる。
以上により、図１１のスイッチング回路おいて、任意の波形の信号を入力して、ひずみの少ない信号波形を伝送出力することができる。
【産業上の利用可能性】
【００２１】
本発明のスイッチング回路は、フォトモスリレーのオフ容量の変化を０となるようにしているので、上記実施例以外の回路においても同様に実施できる。
【図面の簡単な説明】
【００２２】
【図１】本発明の基本回路図例である。
【図２】フォトモスリレーのオフ容量図例である。
【図３】オフ容量と端子間電圧の関係図例である。
【図４】本発明の入力信号とオフ容量の関係図例である。
【図５】本発明の減衰回路図例である。
【図６】本発明の増幅回路図例である。
【図７】本発明の増幅回路図例である。
【図８】本発明の抵抗値変換回路図例である。
【図９】本発明の割込み回路図例である。
【図１０】本発明のフィルタ回路図例である。
【図１１】本発明の応用回路図例である。
【図１２】従来の基本回路図例である。
【図１３】従来の減衰回路図例である。
【図１４】従来の増幅回路図例である。
【図１５】従来の抵抗値変換回路図例である。
【図１６】従来の割込み回路図例である。
【図１７】従来のフィルタ回路図例である。
【符号の説明】
【００２３】
Ｒ                  終端抵抗
Ｒ１、Ｒ２、Ｒ３    抵抗    
Ｋ１、Ｋ２、Ｋ３    フォトモスリレー
Ｃoff                フォトモスリレーのオフ容量    
Ｖ                  フォトモスリレーの端子間電圧    
Ｄ／Ａ、Ｄ／Ａ１、Ｄ／Ａ２      Ｄ／Ａコンバータ
ＡＷＧ１、ＡＷＧ２              任意信号発生器
【図１】
2007235807.tif 000003
【図２】
2007235807.tif 000004
【図３】
2007235807.tif 000005
【図４】
2007235807.tif 000006
【図５】
2007235807.tif 000007
【図６】
2007235807.tif 000008
【図７】
2007235807.tif 000009
【図８】
2007235807.tif 000010
【図９】
2007235807.tif 000011
【図１０】
2007235807.tif 000012
【図１１】
2007235807.tif 000013
【図１２】
2007235807.tif 000014
【図１３】
2007235807.tif 000015
【図１４】
2007235807.tif 000016
【図１５】
2007235807.tif 000017
【図１６】
2007235807.tif 000018
【図１７】
2007235807.tif 000019